(57)【要約】【課題】  互換型光ピックアップ及びその光出力量検出方法を提供する。【解決手段】  相異なる波長の光を出射する第１及び第２光源とこれに対応すべく情報信号及び／または誤差信号検出用の第１及び第２光検出器を含み、第１光源の光出力量をモニタリングするのに第２光検出器を使用し、かつ／または第２光源の光出力量をモニタリングするのに第１光検出器を使用する互換型光ピックアップ及びその光出力量検出方法である。光源の光出力をモニタリングする信号を検出するのに情報信号及び／または誤差信号検出用光検出器を利用するので、別途のフロント光検出器がなくても光源の光出力量をモニタリングできて光ピックアップを構成する光学部品数を減らせ、これによりコスト安となる。また、フロント光検出器をベースに設置するための空間を確保する必要がないので、ベース構造が簡単になって成形不良が減少し、金型寿命が延びる。【選択図】  図１
2004234833.tif 000002
【特許請求の範囲】
【請求項１】
相異なるフォーマットの第１及び第２記録媒体を互換採用するために、第１記録媒体に適した波長の第１光を出射する第１光源及び前記第１光に基づいて前記第１記録媒体に関する情報信号及び誤差信号のうち少なくとも何れか１つを検出するための第１光検出器と、第２記録媒体に適した波長の第２光を出射する第２光源及び前記第２光に基づいて前記第２記録媒体に関する情報信号及び誤差信号のうち少なくとも何れか１つを検出するための第２光検出器と、を含む互換型光ピックアップにおいて、
前記第１光検出器は、前記第２光源から出射され、反射過程を経て第１光検出器側に進む一部の第２光を検出して第２光源の光出力量をモニタリングし、かつ／または前記第２光検出器は前記第１光源から出射され、反射過程を経て第２光検出器側に進む一部の第１光を検出して第１光源の光出力量をモニタリングすることを特徴とする互換型光ピックアップ。
【請求項２】
第１記録媒体に適した波長の第１光を出射する第１光源、第１光の進路を変換するための第１ホログラム及び記録媒体からの反射光を受光して検出する第１光検出器がモジュール化された第１ホログラムモジュールと、
前記第１記録媒体とは異なるフォーマットの第２記録媒体に適した波長の第２光を出射する第２光源、第２光の進路を変換するための第２ホログラム及び記録媒体からの反射光を受光して検出する第２光検出器がモジュール化された第２ホログラムモジュールと、を含み、
前記第１光検出器は、前記第２光源から出射され、反射過程を経て第１ホログラムモジュールに入射された一部の第２光を検出して第２光源の光出力量をモニタリングし、かつ／または前記第２光検出器は前記第１光源から出射されて反射過程を経て第２ホログラムモジュールに入射された一部の第１光を検出して第１光源の光出力量をモニタリングすることを特徴とする互換型光ピックアップ。
【請求項３】
前記第１光の波長は前記第２光の波長と異なることを特徴とする請求項２に記載の光ピックアップ。
【請求項４】
前記第１記録媒体は第１フォーマットを有し、前記第２記録媒体は前記第１フォーマットとは異なる第２フォーマットを有することを特徴とする請求項２に記載の光ピックアップ。
【請求項５】
前記第１光は赤色波長範囲であることを特徴とする請求項２に記載の光ピックアップ。
【請求項６】
前記第１光の波長は６４５ｎｍないし６８５ｎｍであることを特徴とする請求項２に記載の光ピックアップ。
【請求項７】
前記第２光は赤外線波長範囲であることを特徴とする請求項２に記載の光ピックアップ。
【請求項８】
前記第２光の波長は７７０ｎｍないし８１０ｎｍであることを特徴とする請求項２に記載の光ピックアップ。
【請求項９】
前記第１及び第２光源は半導体レーザーであることを特徴とする請求項２に記載の光ピックアップ。
【請求項１０】
ＤＶＤを互換採用でき、前記第１光は青色波長範囲、前記第２光は赤色波長範囲であることを特徴とする請求項２に記載の光ピックアップ。
【請求項１１】
前記第１及び第２ホログラム各々は光路変換ディバイスとして作用し、前記第１ホログラムは前記第１光源から出射された前記第１光は光路変換なしに透過させ、入射される第１及び第２光は±１次に回折させて前記第１及び第２光の±１次回折光を前記第１光検出器に進行させることを特徴とする請求項２に記載の光ピックアップ。
【請求項１２】
前記第２ホログラムは前記第２光源から出射された前記第２光は光路変換なしに透過させ、入射される第１及び第２光は±１次に回折させて前記第１及び第２光の±１次回折光を前記第２光検出器に進行させることを特徴とする請求項２に記載の光ピックアップ。
【請求項１３】
前記第１光源と第１光検出器は分離可能に配されることを特徴とする請求項２に記載の光ピックアップ。
【請求項１４】
前記第２光源と第２光検出器は分離可能に配されることを特徴とする請求項２に記載の光ピックアップ。
【請求項１５】
前記第１光検出器に連結され、第２光源の光出力量に比例するモニタリング信号を生成可能に備えられた第１検出回路、及び／または前記第２光検出器に連結され、第１光源の光出力量に比例するモニタリング信号を生成可能に備えられた第２検出回路と、をさらに含むことを特徴とする請求項１または２に記載の互換型光ピックアップ。
【請求項１６】
前記第１及び第２検出回路のうち少なくとも１つはモニタリング信号を出力するための出力端を備えることを特徴とする請求項１５に記載の光ピックアップ。
【請求項１７】
前記少なくとも１つの出力端は情報信号（ＲＦ信号）を出力することを特徴とする請求項１６に記載の光ピックアップ。
【請求項１８】
前記少なくとも１つの出力端は通常のＰＤＩＣに対するモニタリング信号を出力する独立的に付け加えられた出力端であることを特徴とする請求項１６に記載の光ピックアップ。
【請求項１９】
前記第１及び第２検出回路は制御器をさらに備えることを特徴とする請求項１６に記載の光ピックアップ。
【請求項２０】
前記制御器各々はモニタリング信号の増幅率を制御する可変抵抗であることを特徴とする請求項１９に記載の光ピックアップ。
【請求項２１】
前記第１光検出器は前記第２光源から出射され、記録媒体から反射されて第１光検出器に入射される第２光を検出して第２光源の光出力量をモニタリングし、かつ／または前記第２光検出器は前記第１光源から出射され、記録媒体から反射されて第２光検出器に入射される第１光を検出して第１光源の光出力量をモニタリングすることを特徴とする請求項１または２に記載の互換型光ピックアップ。
【請求項２２】
前記第１及び第２光を所定割合で透過及び反射させるプレート型ビームスプリッタをさらに備えることを特徴とする請求項２１に記載の互換型光ピックアップ。
【請求項２３】
前記第１及び第２光源から出射された前記第１及び第２光が全て進む経路上に、前記第１及び／または第２光の一部を反射させる反射部材と、を備え、
前記第１光検出器は、前記第２光源から出射され、前記反射部材から反射されて第１光検出器に入射される第２光を検出して第２光源の光出力量をモニタリングし、かつ／または前記第２光検出器は前記第１光源から出射され、前記反射部材から反射されて第２光検出器に入射される第１光を検出して第１光源の光出力量をモニタリングすることを特徴とする請求項１または２に記載の互換型光ピックアップ。
【請求項２４】
前記第１及び第２光を所定割合で透過及び反射させる立方型ビームスプリッタをさらに備えることを特徴とする請求項２３に記載の光ピックアップ。
【請求項２５】
前記反射部材は前記立方型ビームスプリッタの一面に備えられたことを特徴とする請求項２４に記載の光ピックアップ。
【請求項２６】
前記反射部材は前記立方型ビームスプリッタの光出射面にコーティングされたことを特徴とする請求項２４に記載の光ピックアップ。
【請求項２７】
前記第１及び第２光源のうち何れか１つはＣＤ系列の記録媒体を記録及び／または再生するのに適した波長の光を出射し、他の１つはＤＶＤ系列の光ディスクを記録及び／または再生するのに適した波長の光を出射することを特徴とする請求項１または２に記載の光ピックアップ。
【請求項２８】
ＣＤ系列の記録媒体のうち少なくとも一部に情報信号を記録するための記録用として使用できることを特徴とする請求項２７に記載の光ピックアップ。
【請求項２９】
ＤＶＤ系列の記録媒体のうち少なくとも一部に情報信号を記録するための記録用として使用できることを特徴とする請求項２７に記載の光ピックアップ。
【請求項３０】
第１記録媒体に適した波長の第１光を出射する第１光源及び前記第１記録媒体に関する情報信号及び誤差信号のうち少なくとも何れか１つを検出するための第１光検出器と、第２記録媒体に適した波長の第２光を出射する第２光源及び前記第２記録媒体に関する情報信号及び誤差信号のうち少なくとも何れか１つを検出するための第２光検出器と、を含み、相異なるフォーマットの第１及び第２記録媒体を互換採用可能な互換型光ピックアップにおける第１及び／または第２光源の光出力量検出方法において、
前記第２光源から出射され、反射過程を経た第２光の一部を第１光検出器で検出し、かつ／または前記第１光源から出射され、反射過程を経た第１光の一部を第２光検出器で検出する段階と、
前記第１光検出器の第２光検出信号を用いて第２光源の光出力量をモニタリングする信号を生成し、かつ／または第２光検出器の第１光検出信号を用いて第１光源の光出力量をモニタリングする信号を生成する段階と、を含むことを特徴とする光出力量検出方法。
【請求項３１】
前記第１及び第２光源のうち何れか１つはＣＤ系列の記録媒体を記録及び／または再生するのに適した波長の光を出射し、他の１つはＤＶＤ系列の光ディスクを記録及び／または再生するのに適した波長の光を出射することを特徴とする請求項３０に記載の光出力量検出方法。
【請求項３２】
第１フォーマットを有する第２記録媒体と第１フォーマットとは異なる第２フォーマットを有する第２記録媒体とを互換できる光ピックアップにおいて、
前記第１記録媒体と互換できる第１光を出射する第１光源及び第１光検出器を備える第１光モジュールと、
前記第２記録媒体と互換できる第２光を出射する第２光源及び第２光検出器を出射する第２光モジュールを備え、
前記第１光検出器は前記第１光に基づいて前記第１記録媒体に係る第１情報信号を検出し、第２光に基づいて第１光出力信号を検出し、
前記第２光検出器は前記第２光に基づいて前記第２記録媒体に係る第２情報信号を検出し、前記第１光に基づいて第１光出力信号を検出することを特徴とする光ピックアップ。
【請求項３３】
前記第１光検出器は前記第２光検出器の第１光出力信号検出時に前記第１情報信号を検出し、前記第２光検出器は前記第１光検出器の第２光出力信号検出時に前記第２情報信号を検出することを特徴とする請求項３２に記載の光ピックアップ。
【請求項３４】
前記第１情報信号及び第２情報信号は各々前記第１光ビーム及び第２光ビームの大部分を含み、前記第１光出力信号及び第２光出力信号は各々前記第１光ビーム及び第２光ビームの一部分を含むことを特徴とする請求項３２に記載の光ピックアップ。
【請求項３５】
前記第１光ビームの強度は前記第２光検出器により検出された前記第１光出力信号に基づいて調節され、前記第２光ビームの強度は前記第１光検出器により検出された前記第２光出力信号に基づいて調節されることを特徴とする請求項３２に記載の光ピックアップ。
【請求項３６】
前記第２光出力信号に基づいて前記第２光ビームの強度を制御すべく、前記第１光検出器及び第２光源に連結された第１検出回路と、
前記第１光出力信号に基づいて前記第１光ビームの強度を制御すべく、前記第２光検出器及び第１光源に連結された第２検出回路と、をさらに備えることを特徴とする請求項３２に記載の光ピックアップ。
【請求項３７】
前記第１検出回路は前記第２光源を制御すべく第１制御信号を発生させることによって前記第２光ビームの強度を制御し、前記第２検出回路は前記第１光源を制御すべく第２制御信号を発生させることによって前記第１光ビームの強度を制御することを特徴とする請求項３６に記載の光ピックアップ。
【発明の詳細な説明】
【技術分野】
【０００１】
本発明は互換型光ピックアップ及びその光出力量検出方法に関する。
【背景技術】
【０００２】
最近の光ピックアップは、多様な種類の光ディスクの互換採用と速い倍速などの要求に対応するために構造がさらに複雑になり、光部品の数が多くなっている。
【０００３】
しかし、光ピックアップのために活用可能な空間が限定されている点とノート型パソコンなどの携帯用端末機の速い普及によって、光ピックアップはその大きさが次第に小型化及びスリム化が要求されていて光部品数を減らす必要がある。
【０００４】
光ピックアップを構成する光学部品の大きさ及び数をいかほど最小化するかはコストの側面やベース空間の設計側面でも重要な問題である。
【０００５】
通常、光ピックアップには、光源の光出力をモニタリングするために別途のフロント光検出器が備えられている。このフロント光検出器は光ピックアップにおいて光路変換ディバイスとして使われる立方型ビームスプリッタまたはプレート型ビームスプリッタの後方に配されることが一般的である。
【０００６】
ところが、上記のように別途のフロント光検出器を備える場合には次のような問題点がある。
【０００７】
第１、光ピックアップを構成する光学部品数が多くてコスト高となる。
【０００８】
第２、フロント光検出器をベースに設置するための空間確保が必要なので、ベースの構造が複雑になり、ベースを射出するに当たって水流れが悪くなって、成形不良の増加及び金型寿命の短縮などの問題点がある。
【発明の開示】
【発明が解決しようとする課題】
【０００９】
本発明は前記のような点を勘案して案出されたものであって、別途のフロント光検出器なしに光源の光出力量をモニタリングする互換型光ピックアップ及びその光出力量検出方法を提供するのにその目的がある。
【課題を解決するための手段】
【００１０】
前記目的を達成するために本発明は、相異なるフォーマットの第１及び第２記録媒体を互換採用するために、第１記録媒体に適した波長の第１光を出射する第１光源及び前記第１光に基づいて前記第１記録媒体に関する情報信号及び誤差信号のうち少なくとも何れか１つを検出するための第１光検出器と、第２記録媒体に適した波長の第２光を出射する第２光源及び前記第２光に基づいて前記第２記録媒体に関する情報信号及び誤差信号のうち少なくとも何れか１つを検出するための第２光検出器と、を含む互換型光ピックアップにおいて、前記第１光検出器は、前記第２光源から出射され、反射過程を経て第１光検出器側に進む一部の第２光を検出して第２光源の光出力量をモニタリングし、かつ／または前記第２光検出器は前記第１光源から出射され、反射過程を経て第２光検出器側に進む一部の第１光を検出して第１光源の光出力量をモニタリングすることを特徴とする。
【００１１】
また、前記目的を達成するための本発明に係る互換型光ピックアップは、第１記録媒体に適した波長の第１光を出射する第１光源、第１光の進路を変換するための第１ホログラム及び記録媒体からの反射光を受光して検出する第１光検出器がモジュール化された第１ホログラムモジュールと、前記第１記録媒体とは異なるフォーマットの第２記録媒体に適した波長の第２光を出射する第２光源、第２光の進路を変換するための第２ホログラム及び記録媒体からの反射光を受光して検出する第２光検出器がモジュール化された第２ホログラムモジュールと、を含み、前記第１光検出器は、前記第２光源から出射され、反射過程を経て第１ホログラムモジュールに入射された一部の第２光を検出して第２光源の光出力量をモニタリングし、かつ／または前記第２光検出器は前記第１光源から出射されて反射過程を経て第２ホログラムモジュールに入射された一部の第１光を検出して第１光源の光出力量をモニタリングすることを特徴とする。
【００１２】
また、前記第１光検出器に連結され、第２光源の光出力量に比例するモニタリング信号を生成可能に備えられた第１検出回路、及び／または前記第２光検出器に連結され、第１光源の光出力量に比例するモニタリング信号を生成可能に備えられた第２検出回路と、をさらに含むことが望ましい。
【００１３】
本発明の一特徴によれば、前記第１光検出器は、前記第２光源から出射され、記録媒体から反射されて第１光検出器に入射される第２光を検出して第２光源の光出力量をモニタリングし、かつ／または前記第２光検出器は前記第１光源から出射され、記録媒体から反射されて第２光検出器に入射される第１光を検出して第１光源の光出力量をモニタリングする。
【００１４】
この際、前記第１及び第２光を所定割合で透過及び反射させるプレート型ビームスプリッタをさらに備えることが望ましい。
【００１５】
本発明の他の特徴によれば、前記第１及び第２光源から出射された前記第１及び第２光が全て進む経路上に、前記第１及び／または第２光の一部を反射させる反射部材を備え、前記第１光検出器は、前記第２光源から出射され、前記反射部材から反射されて第１光検出器に入射される第２光を検出して第２光源の光出力量をモニタリングし、かつ／または前記第２光検出器は前記第１光源から出射され、前記反射部材から反射されて第２光検出器に入射される第１光を検出して第１光源の光出力量をモニタリングする。
【００１６】
この際、前記第１及び第２光を所定割合で透過及び反射させる立方型ビームスプリッタをさらに備え、前記反射部材は前記立方型ビームスプリッタの一面に備えられたことが望ましい。
【００１７】
ここで、前記第１及び第２光源のうち何れか１つはＣＤ系列の記録媒体を記録及び／または再生するのに適した波長の光を出射し、他の１つはＤＶＤ系列の光ディスクを記録及び／または再生するのに適した波長の光を出射することが望ましい。
【００１８】
前記目的を達成するために本発明は、第１記録媒体に適した波長の第１光を出射する第１光源及び前記第１記録媒体に関する情報信号及び／または誤差信号を検出するための第１光検出器と、第２記録媒体に適した波長の第２光を出射する第２光源及び前記第２記録媒体に関する情報信号及び／または誤差信号を検出するための第２光検出器を含み、相異なるフォーマットの第１及び第２記録媒体を互換採用できる互換型光ピックアップで第１及び／または第２光源の光出力量を検出する方法において、前記第２光源から出射され、反射過程を経た第２光の一部を第１光検出器で検出し、かつ／または前記第１光源から出射され、反射過程を経た第１光の一部を第２光検出器で検出する段階と、前記第１光検出器の第２光検出信号を用いて第２光源の光出力量をモニタリングする信号を生成し、かつ／または第２光検出器の第１光検出信号を用いて第１光源の光出力量をモニタリングする信号を生成する段階と、を含むことを特徴とする。
【発明の効果】
【００１９】
本発明に係る互換型光ピックアップを採用した光記録及び／または再生機器は相異なるフォーマットの複数種の記録媒体を互換採用できる。
【００２０】
本発明によれば、光源の光出力をモニタリングする信号を検出するのに情報信号及び／または誤差信号検出用の光検出器を用いるので、別途のフロント光検出器がなくても光源の光出力量をモニタリングできて光ピックアップを構成する光学部品数を減らせ、これによりコスト安となる。
【００２１】
また、フロント光検出器をベースに設けるための空間を確保する必要がないので、ベース構造が簡単になって成形不良が減少し、金型寿命が延びる。
【発明を実施するための最良の形態】
【００２２】
本発明に係る互換型光ピックアップは図１及び図４に例示した実施例のように、相異なる波長の光を出射する第１及び第２光源とこれに対応すべく情報信号及び／または誤差信号検出用の第１及び第２光検出器を含み、第１光源の光出力量をモニタリングするのに第２光検出器を使用し、かつ／または第２光源の光出力量をモニタリングするのに第１光検出器を使用する点にその特徴がある。
【００２３】
図１は、本発明に係る互換型光ピックアップの一実施例を概略的に示す図面である。
図１を参照すれば、本発明の一実施例に係る光ピックアップは、相異なるフォーマットの二種以上の記録媒体、例えば、高密度記録媒体及び低密度記録媒体を互換採用可能なものであって、第１及び第２ホログラム光モジュール２０、３０と、入射光を集束して記録媒体１０の記録面に光スポットとして結像させる対物レンズ２９と、入射光を所定割合で透過及び反射させるプレート型ビームスプリッタ２５と、第１ホログラム光モジュール２０とプレート型ビームスプリッタ２５間に配された第１コリメーティングレンズ２４と、第２ホログラム光モジュール３０とプレート型ビームスプリッタ２５間に配された第２コリメーティングレンズ３４とを含む光学的構成を有する。
【００２４】
図１において、部材番号２７、３７は各々反射ミラーを示す。図１は、本発明に係る互換型光ピックアップがスリム型や、反射ミラーのない構造に比べて半分程度の厚さを有する構造、例えば、スリム型構造に適した光学的配置を有する場合を例示したものである。本発明に係る光ピックアップは前記反射ミラー２７、３７のない構造を有することもある。
【００２５】
前記第１及び第２ホログラム光モジュール２０、３０は図２のような構成を有することができる。
【００２６】
図２を参照すれば、前記第１ホログラム光モジュール２０は、高密度記録媒体を記録及び／または再生するのに適した所定波長の光を出射する第１光源２１、第１ホログラム２３及び第１光検出器２２がモジュール化されたものである。
【００２７】
また、前記第２ホログラム光モジュール３０は低密度記録媒体を記録及び／または再生するのに適すべく前記第１光源２１とは異なる波長の光を出射する第２光源３１、第２ホログラム３３及び第２光検出器３２がモジュール化されたものである。
【００２８】
本発明の一実施例に係る光ピックアップがＣＤ系列の光ディスク及びＤＶＤ系列の光ディスク互換型である場合、前記第１光源２１は赤色波長領域（約６４５ｎｍないし６８５ｎｍ、望ましくは、６５０ｎｍ）の第１光２１ａ、第２光源３１は赤外線波長領域（約７７０ｎｍないし８１０ｎｍ、望ましくは、７８０ｎｍ）の第２光３１ａを出射すべく備えられることが望ましい。前記第１及び第２光源２１、３１には半導体レーザーを備えられる。
【００２９】
ここで、本発明の一実施例に係る光ピックアップがＤＶＤ系列の光ディスク及び次世代ＤＶＤ系列の光ディスク互換型である場合、前記第１光源２１は青色波長領域（約４００ｎｍないし４２０ｎｍ、望ましくは、４０５ｎｍ）の第１光２１ａ、前記第２光源３１は赤色波長領域（約６４５ｎｍないし６８５ｎｍ、望ましくは、６５０ｎｍ）の第２光３１ａを出射すべく備えられる。
【００３０】
前記第１及び第２ホログラム２３、３３は各々光路変換ディバイスとしての機能をする。前記第１ホログラム２３は第１光源２１から出射された第１光２１ａは直進透過させ、第１ホログラム光モジュール２０に入射される第１及び第２光２１ａ、３１ａは＋１次または−１次に回折させて第１光検出器２２に受光させる。
【００３１】
同様に、前記第２ホログラム３３は第２光源３１から出射された第２光３１ａは直進透過させ、第２ホログラム光モジュール３０に入射される第１及び第２光２１ａ、３１ａは＋１次または−１次に回折させて第２光検出器３２に受光させる。
【００３２】
前記第１光検出器２２は第１ホログラム光モジュール２０に入射される第１及び第２光２１ａ、３１ａを受光する。
【００３３】
すなわち、前記第１光検出器２２は記録媒体１０から反射され、例えば、プレート型ビームスプリッタ２５を透過して第１ホログラム光モジュール２０に入射される第１光２１ａを受光して高密度光ディスクに対する情報信号及び／または誤差信号を検出する。また、本発明の一実施例において、前記第１光検出器２２は記録媒体１０から反射され、プレート型ビームスプリッタ２５を一部透過して第１ホログラム光モジュール２０に入射される第２光３１ａを受光して第２光源３１の光出力量をモニタリングするための第１モニタリング信号を検出する。ここで、後述する本発明の他の実施例で第１光検出器２２に受光されて第２光源３１の光出力量をモニタリングするのに使われる第２光３１ａは反射部材（図３の８５）から反射されたものである。
【００３４】
前記第２光検出器３２は第２ホログラム光モジュール３０に入射される第１及び第２光２１ａ、３１ａを受光する。
【００３５】
すなわち、前記第２光検出器３２は記録媒体１０から反射され、例えば、プレート型ビームスプリッタ２５から反射されて第２ホログラム光モジュール３０に入射される第２光３１ａを受光して低密度光ディスクに対する情報信号及び／または誤差信号を検出する。また、本発明の一実施例において、前記第２光検出器３２は記録媒体１０から反射されてプレート型ビームスプリッタ２５で一部反射されて第２ホログラム光モジュール３０に入射される第１光２１ａを受光して第１光源２１の光出力量をモニタリングするための第２モニタリング信号を検出する。ここで、後述する本発明の他の実施例で第２光検出器３２に受光されて第１光源２１の光出力量をモニタリングするのに使われる第１光２１ａは反射部材（図３の８５）から反射されたものである。
【００３６】
本発明の一実施例に係る互換型光ピックアップは、光路変換ディバイスとして上記の通りに第１及び第２ホログラム２３、３３を備える代わりに、立方型ビームスプリッタやプレート型ビームスプリッタのような他の種類の光路変換ディバイスを備え、第１光源及び第１光検出器２１、２２、第２光源３１及び第２光検出器３２が相互分離可能に配されることもある。
【００３７】
前記プレート型ビームスプリッタ２５は、第１及び第２光２１ａ、３１ａを所定割合で透過及び反射させるように備えられたことが望ましい。
【００３８】
例えば、前記プレート型ビームスプリッタ２５は入射される第１光２１ａの大部分を透過させ、一部を反射させるように備えられたことが望ましい。この場合、第１光源２１側から入射される第１光２１ａの大部分はプレート型ビームスプリッタ２５を透過して記録媒体１０側に向かう。また、記録媒体１０から反射されて入射される第１光２１ａの大部分はプレート型ビームスプリッタ２５を透過して第１ホログラム光モジュール２０側に向かい、一部はプレート型ビームスプリッタ２５から反射されて第２ホログラム光モジュール３０側に向かう。
【００３９】
したがって、第１光源２１から出射された第１光２１ａの一部が第２ホログラム光モジュール３０の第２光検出器３２に受光できて第２光検出器３２を用いて第１光源２１の光出力量をモニタリングできるようになる。
【００４０】
また、例えば、前記プレート型ビームスプリッタ２５は、入射される第２光３１ａの大部分を反射させ、一部を透過させるように備えられたことが望ましい。この場合、第２光源３１側から入射される第２光３１ａの大部分はプレート型ビームスプリッタ２５から反射されて記録媒体１０側に向かう。また、記録媒体１０から反射されて入射される第２光３１ａの大部分はプレート型ビームスプリッタ２５から反射されて第２ホログラム光モジュール３０側に向かい、一部はプレート型ビームスプリッタ２５を透過して第１ホログラム光モジュール２０側に向かう。したがって、第２光源３１から出射された第２光３１ａの一部が第１ホログラム光モジュール２０の第１光検出器２２に受光できて第１光検出器２２を使用して第２光源３１の光出力量をモニタリングできるようになる。
【００４１】
前述したような光学的構成を有する本発明の一実施例に係る互換型光ピックアップは、プレート型ビームスプリッタ２５を備え、第１及び／または第２光源２１、３１の光出力量をモニタリングするが、記録媒体１０から反射された第１光２１ａを第２ホログラム光モジュール３０の第２光検出器３２で検出した信号を用いて、記録媒体から反射された第２光３１ａを第１ホログラム光モジュール２０の第１光検出器２２で検出した信号を用いる。
【００４２】
代案として、本発明の他の実施例に係る互換型光ピックアップを示す図３を参照すれば、本発明に係る互換型光ピックアップは、第１及び／または第２光源２１、３１の光出力量をモニタリングするのに記録媒体１０から反射された第１及び／または第２光２１ａ、３１ａを用いる代わりに、第１及び第２光２１ａ、３１ａが全て進む経路上に、第１及び／または第２光２１ａ、３１ａの一部を反射させる反射部材８５を備える構造を有しても良い。
【００４３】
また、プレート型ビームスプリッタ（図１の２５）の代りに図３に例示したように、入射される第１及び第２光２１ａ、３１ａを所定割合で透過及び反射させる立方型ビームスプリッタ８０を備えても良い。このようにプレート型ビームスプリッタ２５の代りに立方型ビームスプリッタ８０を備えれば、前記反射部材８５を立方型ビームスプリッタ８０の出射面に備えても良い。この際、前記反射部材８５は立方型ビームスプリッタ８０の出射面にコーティング形成するか、別途の反射部材を付着したもので有り得る。
【００４４】
ここで、立方型ビームスプリッタ８０の代りに本発明の一実施例のようにプレート型ビームスプリッタ２５を使用しても良い。もちろん、本発明の一実施例を示す図１においてプレート型ビームスプリッタ２５の代りに立方型ビームスプリッタ８０を使用しても良い。
【００４５】
図３において本発明の他の実施例に係る互換型光ピックアップを構成する他の光学的構成要素について図１と同一な部材番号を付し、その詳細な説明は省略する。
【００４６】
図３に例示したように、第１及び第２光２１ａ、３１ａが全て進む経路上に反射部材８５を備える場合には、第１光源２１から出射され、ビームスプリッタ２５または８０を経て反射部材８５に入射された第１光２１ａのうち一部は反射部材８５から反射され、第２ホログラム光モジュール３０側に進んで第２光検出器３２で受光される。また、第２光源３１から出射されてビームスプリッタ２５または８０を経て反射部材８５に入射された第２光３１ａのうち一部は反射部材８５から反射され、第１ホログラム光モジュール２０側に進んで第１光検出器２２で受光される。
【００４７】
したがって、第１光検出器２２で第２光源３１の光出力量をモニタリングし、かつ／または第２光検出器３２で第１光源２１の光出力量をモニタリングできる。
【００４８】
一方、本発明に係る互換型光ピックアップは、図１及び図３に示されたように、第１光検出器２２に連結されて第２光源３１の光出力量に比例する第１モニタリング信号を生成可能に備えられた第１検出回路４０、及び／または前記第２光検出器３２に連結されて第１光源２１の光出力量に比例する第２モニタリング信号を生成可能に備えられた第２検出回路５０をさらに備える。ここでは、第１及び第２検出回路４０、５０を共に備えた場合を例とする。
【００４９】
前記第１及び第２検出回路４０、５０は、第１及び第２光検出器２２、３２に各々連結されたＰＤＩＣである。
【００５０】
前記第１検出回路４０は、第１モニタリング信号を生成すると共に、第１光検出器２２に受光される第１光２１ａの検出信号から高密度光ディスクに対する情報信号及び／または誤差信号を検出すべく備えられたことが望ましい。前記第２検出回路５０は、第２モニタリング信号を生成すると共に、第２光検出器３２に受光される第２光３１ａの検出信号から低密度光ディスクに対する情報信号及び／または誤差信号を検出すべく備えられたことが望ましい。
【００５１】
本発明の実施例に係る互換型光ピックアップにおいて、前記第１及び第２検出回路４０、５０には、図４に示されたように、第１及び第２モニタリング信号を出力するための出力端子６０が備えられている。この出力端子６０は情報再生信号、すなわち、ＲＦ信号を出力するための出力端子であっても、既存のＰＤＩＣ構造にモニタリング信号出力用として別途に追加されたものであっても良い。
【００５２】
モニタリング信号と情報再生信号とを出力するのに同一な出力端子を利用できる理由は次の通りである。
【００５３】
例えば、高密度光ディスク記録及び／または再生時には第１ホログラム光モジュール２０に備えられた第１光源２１が第１光２１ａを出射すべく動作され、高密度光ディスクに対する情報信号及び／または誤差信号は第１ホログラム光モジュール２０に備えられた第１光検出器２２で検出され、第２ホログラム光モジュール３０の第２光源３１及び第２光検出器３２は低密度光ディスクの記録及び／または再生のために使われないので、高密度光ディスクから反射された第１光２１ａの一部を第２光検出器３２で検出し、この検出信号から生成された第２モニタリング信号を第２検出回路５０のモニタリング信号及び情報再生信号共用出力端子を通じて出力しうる。低密度光ディスク記録及び／または再生時にも前記と同様な原理によって第２光源３１に対する第１モニタリング信号を第１検出回路４０のモニタリング信号及び情報再生信号共用出力端子を通じて出力しうる。
【００５４】
一方、図４は第１及び第２検出回路４０、５０にモニタリング信号の増幅率を調整可能に、調整器７０、例えば、可変抵抗器が備えられた例を示す。上記のように調整器７０を備えれば、第１または第２モニタリング信号の増幅率を調整できる。
【００５５】
ここで、上記のように、一フォーマットの光ディスク用の光源に対するモニタリング信号を生成すると共に、他のフォーマットの光ディスクに対する情報信号及び／または誤差信号を検出する第１及び第２検出回路４０、５０の具体的な回路構成は設計事項であり、多様な変形が可能であり、かつ当業者ならば前記技術説明から具体的な回路構成が可能なので、ここではその具体的な回路設計の例についての詳細な説明及び図示を省略する。
【００５６】
前述したような本発明に係る光ピックアップによれば、高密度光ディスク記録及び／または再生時には、第１光源２１の光出力量を低密度光ディスクに対する情報信号及び／または誤差信号検出用である第２光検出器３２でモニタリングし、低密度光ディスク記録及び／または再生時には、第２光源３１の光出力量を高密度光ディスクのための情報信号及び／または誤差信号検出用である第１光検出器２２でモニタリングするので、別途のモニタリング用の光検出器を採用しなくてもよく、これにより従来のフロント光検出器を備える構造に比べて部品数を減らせ、フロント光検出器を設置するための空間を確保しなくても良い。
【００５７】
前述したような本発明に係る光ピックアップでの第１及び第２ホログラム光モジュール２０、３０から出射された第１及び第２光２１ａ、３１ａの進行過程を図１及び図２に基づいて説明した本発明の一実施例の場合を例として説明すれば次の通りである。ここで、第１ホログラム光モジュール２０が高密度光ディスク、例えば、ＤＶＤ系列の光ディスク記録及び／または再生用として適すべく備えられ、第２ホログラム光モジュール３０が低密度光ディスク、例えば、ＣＤ系列の光ディスク記録及び／または再生用として適すべく備えられた場合を例とする。反射ミラー２７、３７は入射光を全反射させるので、ここではこの反射ミラー２７、３７は無視される。本発明では、単一または複数のミラーの多様な配置が光ピックアップの作動の変化なしに用いられる。
【００５８】
まず、記録媒体１０でＤＶＤ系列の光ディスクが採用されれば、第１光源２１が作動され、第１光源２１から発散光形態の第１光２１ａが出射される。出射された第１光２１ａは第１ホログラム２３を直進透過し、第１コリメーティングレンズ２４によりコリメーティングされて平行光に変わってプレート型ビームスプリッタ２５に入射される。入射された第１光２１ａはプレート型ビームスプリッタ２５を透過して対物レンズ２９側に向かう。対物レンズ２９に入射された第１光２１ａは対物レンズ２９で集束されて記録媒体１０の記録面に光スポットとして結像される。
【００５９】
記録媒体１０の記録面で反射された第１光２１ａは対物レンズ２９を経てプレート型ビームスプリッタ２５に入射される。入射された第１光２１ａのうち大部分はプレート型ビームスプリッタ２５を透過して第１ホログラム光モジュール２０側に向かい、一部はプレート型ビームスプリッタ２５で反射されて第２ホログラム光モジュール３０側に向かう。第１及び第２ホログラム光モジュール２０、３０に入射された第１光２１ａは第１及び第２ホログラム２３、３３を回折透過して第１及び第２光検出器２２、３２に受光される。第１検出回路４０では第１光検出器２２に受光される第１光２１ａの検出信号から情報信号及び／または誤差信号を生成する。第２検出回路５０では第２光検出器３２に受光される第１光２１ａの検出信号から第１光源２１の光出力を制御するための第２モニタリング信号を生成する。したがって、第２光検出器３２の検出信号を用いて第１光源２１の光出力をコントロールすれば、例えば、第１光源２１からの光出力が正確にＤＶＤ系列の光ディスクのための記録パワーになるべく制御しうる。
【００６０】
前記記録媒体１０にＣＤ系列の光ディスクが採用されれば、第２光源３１が作動され、第２光源３１から発散光形態の第２光３１ａが出射される。出射された第２光３１ａは第２ホログラム３３を直進透過し、第２コリメーティングレンズ３４でコリメーティングされて平行光の形にプレート型ビームスプリッタ２５に入射される。プレート型ビームスプリッタ２５に入射された第２光３１ａの大部分はプレート型ビームスプリッタ２５から反射されて対物レンズ２９側に向かう。対物レンズ２９に入射された第２光３１ａは対物レンズ２９により集束されて記録媒体１０の記録面に光スポットとして結像される。記録媒体１０の記録面から反射された第２光３１ａは対物レンズ２９を経てプレート型ビームスプリッタ２５に入射される。入射された第２光３１ａのうち大部分はプレート型ビームスプリッタ２５で反射されて第２ホログラム光モジュール３０側に向かい、一部はプレート型ビームスプリッタ２５を透過して第１ホログラム光モジュール２０側に向かう。第１及び第２ホログラム光モジュール２０、３０に入射された第２光３１ａは第１及び第２ホログラム２３、３３を回折透過して第１及び第２光検出器２２、３２に受光される。第２検出回路５０では第２光検出器３２に受光される第２光３１ａの検出信号から情報信号及び／または誤差信号を生成する。第１検出回路４０では第１光検出器２２に受光される第２光３１ａの検出信号から第２光源３１の光出力を制御するための第１モニタリング信号を生成する。したがって、第１光検出器２２の検出信号を用いて第２光源３１の光出力をコントロールすれば、例えば、第２光源３１からの光出力が正確にＣＤ系列の光ディスクのための記録パワーになるように制御しうる。
【００６１】
図３に示されたような本発明の他の実施例に係る互換型光ピックアップでの光の進行過程は上記より十分に類推可能なので、本発明の他の実施例での光の進行過程の説明は省略する。
【００６２】
前述したような本発明に係る互換型光ピックアップは、前記第１光源２１から出射された第１光２１ａがビームスプリッタ２５または８０で反射されて対物レンズ２９側に向かい、第２光源３１から出射された第２光３１ａがプレート型ビームスプリッタ２５を透過して対物レンズ２９側に向かうように光学系の配置が変更されることもある。
【００６３】
以上は本発明に係る互換型光ピックアップ及びその光出力量検出方法の具体的な実施例を説明したものに過ぎず、本発明が前記構成に限定されるものではなく、多様な変形が可能である。
【００６４】
例えば、本発明に係る互換型光ピックアップは高密度光ディスク及び低密度光ディスクのうち何れか１つに対してだけ光源の光出力量をモニタリングすべく備えられても良い。もちろん、これについては前述した実施例から十分に類推可能なので詳細な説明は省略する。
【００６５】
前述したような本発明に係る互換型光ピックアップはＣＤ系列の記録媒体のうち少なくとも一部及び／またはＤＶＤ系列の記録媒体のうち少なくとも一部に情報信号を記録するための記録用として使用可能である。
【００６６】
図５は、本発明に係る互換型光ピックアップを採用した互換型光記録及び／または再生機器の構成を概略的に示す図面である。
【００６７】
図５を参照すれば、光記録及び／または再生機器は光情報貯蔵媒体である記録媒体１０を回転させるためのスピンドルモータ１０５と、前記記録媒体１０の半径方向に移動可能に設けられて記録媒体１０に記録された情報を再生及び／または記録する光ピックアップ１００と、スピンドルモータ１０５と光ピックアップ１００とを駆動するための駆動部１０７と、光ピックアップ１００のフォーカス、トラッキング及び／またはチルトサーボを制御するための制御部１０９とを含む。ここで、部材番号１０２はターンテーブル、１０３は記録媒体１０をチャッキングするためのクランプを示す。    
【００６８】
前記光ピックアップ１００は相異なるフォーマットの複数種の記録媒体、例えば、ＤＶＤ系列の記録媒体及びＣＤ系列の記録媒体を互換採用できる本発明に係る互換型光ピックアップ光学系と、対物レンズ２９を駆動するためのアクチュエータ（図示せず）を含む。ここで、ＤＶＤ及びＣＤは単に例として言及されたものであって、本発明の範囲がこれに限定されるものではない。本発明は多様な記録媒体に対して用いられる。
【００６９】
採用される記録媒体の種類によって、記録媒体から反射された光は光ピックアップ１００に備えられた光検出器、すなわち本発明に係る互換型光ピックアップの第１または第２ホログラム光モジュール２０、３０の第１または第２光検出器２２、３２を通じて検出され、光電変換されて電気的信号に変わり、この電気的信号は駆動部１０７を通じて制御部１０９に入力される。前記駆動部１０７はスピンドルモータ１０５の回転速度を制御し、入力された信号を増幅させ、光ピックアップ１００を駆動する。前記制御部１０９は駆動部１０７から入力された信号に基づいて調節されたフォーカスサーボ、トラッキングサーボ及び／またはチルトサーボ命令を再び駆動部１０７に送り、光ピックアップ１００のフォーカシング、トラッキング及び／またはチルト動作を具現させる。
【産業上の利用可能性】
【００７０】
本発明に係る互換型光ピックアップは別途のフロント光検出器がなくても光源の光出力量をモニタリングできて光記録機器及び／または再生機器への適用時にコストを大幅に低減しうる。
【図面の簡単な説明】
【００７１】
【図１】本発明に係る互換型光ピックアップの一実施例を概略的に示す斜視図である。
【図２】図１のホログラム光モジュールの一実施例を概略的に示す図面である。
【図３】本発明に係る互換型光ピックアップの他の実施例を概略的に示す斜視図である。
【図４】図１及び図３の検出回路の主要出力端子を示す図面である。
【図５】本発明に係る互換型光ピックアップを採用した互換型光記録及び／または再生機器の構成を概略的に示す図面である。
【符号の説明】
【００７２】
１０  記録媒体
２０、３０  第１及び第２ホログラム光モジュール
２１ａ、３１ａ  第１及び第２光
２４  第１コリメーティングレンズ
２５  プレート型ビームスプリッタ
２７、３７  反射ミラー
２９  対物レンズ
３４  第２コリメーティングレンズ
４０  第１検出回路
５０  第２検出回路
【図１】
2004234833.tif 000003
【図２】
2004234833.tif 000004
【図３】
2004234833.tif 000005
【図４】
2004234833.tif 000006
【図５】
2004234833.tif 000007